(57)【要約】【課題】手に一様に加熱された気流を当て、手の乾燥時間を短縮した手乾燥装置を提供する。【解決手段】手乾燥装置は、手乾燥空間２と、電動送風機４と、加熱装置１５と、ノズル３とを備えている。ノズル３は第一ノズル３ａと、第一ノズル３ａと所定距離２４を離して設けた第二ノズル３ｂとから構成されている。吹出風路１８の一部は、周りよりも狭い縮小風路１９となっており、その縮小風路１９に加熱装置１５が配置されている。電動送風機４が送出した高圧空気２３は吹出風路１８を通って加熱装置１５により加熱され第一ノズル３ａ及び第二ノズル３ｂから送出される。【選択図】図１
2016059560.tif 000002
【特許請求の範囲】
【請求項１】
手前側から奥側に向けての挿入方向に沿って手を挿入する手乾燥装置であって、前記手前側の外部に向かって開口した手挿入口から手を抜き差しする手乾燥空間と、高圧空気を送出する電動送風機と、前記電動送風機が送出した前記高圧空気を加熱する加熱装置と、前記加熱装置が加熱した前記高圧空気を前記手乾燥空間に向けて送出するノズルとを備え、前記ノズルは前記手乾燥空間の前記手挿入口の近傍に配置した第一ノズルと、前記第一ノズルよりも前記奥側に前記第一ノズルと所定距離を配置して設けた第二ノズルとから構成され、前記電動送風機が送出した前記高圧空気は吹出風路を通って前記第一ノズル及び前記第二ノズルまで流れ、前記吹出風路の一部は、周りよりも狭い縮小風路となっており、前記縮小風路に前記加熱装置を配置したことを特徴とする手乾燥装置。
【請求項２】
前記加熱装置と前記第一ノズルとの最短距離と前記加熱装置と前記第二ノズルとの最短距離との差が０ｍｍ以上３０ｍｍ以下であることを特徴とする請求項１に記載の手乾燥装置。
【請求項３】
前記縮小風路を形成する壁面を、耐熱性の樹脂または金属部品で形成したことを特徴とする請求項１または２に記載の手乾燥装置。
【請求項４】
前記加熱装置は、耐熱性の樹脂または金属部品で成形された保持部品によって保持され、前記保持部品によって前記加熱装置と前記縮小風路を形成する壁面との隙間を小さくすることを特徴とする請求項１から３の何れか１項に記載の手乾燥装置。
【請求項５】
前記吹出風路に、風路内の温度を検知し前記加熱装置の出力を制御する温度過昇防止装置を配置し、前記温度過昇防止装置は、前記縮小風路を形成する壁面、または前記保持部品で保持されていることを特徴とする請求項１から４の何れか１項に記載の手乾燥装置。
【発明の詳細な説明】
【技術分野】
【０００１】
本発明は、手乾燥装置に関する。
【背景技術】
【０００２】
手乾燥装置は、水洗い等により濡れた手を乾燥させるために洗面所、トイレ、またはキッチン等において使用される。手乾燥装置では、ニクロム線ヒーターやセラミックヒーターといった加熱装置を製品内部に設け、ノズルの吹出気流温度を上げる事で、手に付着した水分を効率良く蒸発させ、乾燥時間を短縮させている事がある。
【０００３】
また、従来の手乾燥装置では、手が手乾燥室内に挿入された直後の数秒は、両手の手のひらが広げられてノズルの吹出孔に近接されながら抜き差しされ、ノズルの吹出気流により大きな水滴が吹き飛ばされる。その後に残っている小さな水滴は、手乾燥装置内において両手の手のひら同士がこすり合わされて揉み合わされ、水滴が手のひら全体に広げられながら、吹出気流により吹き飛ばされながら蒸発される。
【０００４】
そこで乾燥時間短縮のため、ノズルが手挿入口の近傍に加えて、手乾燥室の奥側に配置されている。このような手乾燥装置は、奥側のノズルの気流を揉み合わせた手に対して指先側、および手の甲など手全体に当てることで、手の抜き差し後に残った小さな水滴を効果的に吹き飛ばすことができる（例えば、特許文献１参照）。
【０００５】
以下、従来の手乾燥装置の側面断面図である図４を参照しながら説明する。図４に示すように従来の手乾燥装置は、手乾燥室１０３と、電動送風機１０４と、ノズル１０５とを有している。手乾燥室１０３は外部に向かって開口し、手挿入口１０１から手１０２を抜き差しする。電動送風機１０４は高圧気流を送出し、加熱装置１０７を通過して、ノズル１０５から高速の気流を吹き出す。ノズル１０５は、手乾燥室１０３の手挿入口１０１の近傍と、手乾燥室１０３の奥側に２ヶ所配置されている。手乾燥室１０３の上面には、挿入された手１０２を検出するセンサ１０６が手挿入口近傍の第一ノズル１０５ａと、奥側の第二ノズル１０５ｂの間に備えられている。電動送風機１０４が運転されると、第一ノズル１０５ａと第二ノズル１０５ｂから空気が手乾燥室１０３に向けて送出され、手乾燥室１０３に挿入された手１０２に衝突することにより、手１０２に付着した水滴を吹き飛ばし、手１０２を乾燥させる。
【先行技術文献】
【特許文献】
【０００６】
【特許文献１】国際公開第２０１４／０４９９２１号
【発明の概要】
【発明が解決しようとする課題】
【０００７】
このような従来の手乾燥装置は、２ヶ所以上に設けたノズルによって手全体に風を当てる効果はある。しかし、風路の増加に伴い、加熱装置を通過しない気流が増加したり、加熱装置に近いノズルの気流温度が、加熱装置から遠いノズルの気流温度よりも高くなったりすることで、温度ムラが生じて乾燥性能を十分に発揮できないという課題があった。
【０００８】
そこで本発明は、上記従来の課題を解決するものであり、縮小風路に設けられた加熱装置によって、電動送風機から送出される高圧空気を加熱してから第一ノズルおよび第二ノズルに流すことで、第一ノズルと第二ノズルとの吹出気流の温度差を小さくする事が出来る手乾燥装置を提供することを目的とする。
【課題を解決するための手段】
【０００９】
そして、この目的を達成するために、本発明は、手前側から奥側に向けての挿入方向に沿って手を挿入する手乾燥装置であって、前記手前側の外部に向かって開口した手挿入口から手を抜き差しする手乾燥空間と、高圧空気を送出する電動送風機と、前記電動送風機が送出した前記高圧空気を加熱する加熱装置と、前記加熱装置が加熱した前記高圧空気を前記手乾燥空間に向けて送出するノズルとを備え、前記ノズルは前記手乾燥空間の前記手挿入口の近傍に配置した第一ノズルと、前記第一ノズルよりも前記奥側に前記第一ノズルと所定距離を配置して設けた第二ノズルとから構成され、前記電動送風機が送出した前記高圧空気は吹出風路を通って前記第一ノズル及び前記第二ノズルまで流れ、前記吹出風路の一部は、周りよりも狭い縮小風路となっており、前記縮小風路に前記加熱装置を配置したものであり、これにより所期の目的を達成するものである。
【発明の効果】
【００１０】
本発明によれば、手前側から奥側に向けての挿入方向に沿って手を挿入する手乾燥装置であって、前記手前側の外部に向かって開口した手挿入口から手を抜き差しする手乾燥空間と、高圧空気を送出する電動送風機と、前記電動送風機が送出した前記高圧空気を加熱する加熱装置と、前記加熱装置が加熱した前記高圧空気を前記手乾燥空間に向けて送出するノズルとを備え、前記ノズルは前記手乾燥空間の前記手挿入口の近傍に配置した第一ノズルと、前記第一ノズルよりも前記奥側に前記第一ノズルと所定距離を配置して設けた第二ノズルとから構成され、前記電動送風機が送出した前記高圧空気は吹出風路を通って前記第一ノズル及び前記第二ノズルまで流れ、前記吹出風路の一部は、周りよりも狭い縮小風路となっており、前記縮小風路に前記加熱装置を配置されていることにより、縮小風路に設けられた加熱装置によって、電動送風機から送出される高圧空気を加熱してから第一ノズルおよび第二ノズルに流すことで、第一ノズルと第二ノズルとの吹出気流の温度差が小さくなり、手に一様に加熱された気流が当たり、手の乾燥時間は短縮されるという効果を得ることができる。
【図面の簡単な説明】
【００１１】
【図１】本発明の実施の形態１の手乾燥装置を示す側面断面図
【図２】同手乾燥装置の一般的な使用例を示す図
【図３】本発明の実施の形態２の手乾燥装置を示す側面断面図
【図４】従来の手乾燥装置を示す側面断面図
【発明を実施するための形態】
【００１２】
本発明に係る手乾燥装置は、手前側から奥側に向けての挿入方向に沿って手を挿入する手乾燥装置であって、前記手前側の外部に向かって開口した手挿入口から手を抜き差しする手乾燥空間と、高圧空気を送出する電動送風機と、前記電動送風機が送出した前記高圧空気を加熱する加熱装置と、前記加熱装置が加熱した前記高圧空気を前記手乾燥空間に向けて送出するノズルとを備え、前記ノズルは前記手乾燥空間の前記手挿入口の近傍に配置した第一ノズルと、前記第一ノズルよりも前記奥側に前記第一ノズルと所定距離を配置して設けた第二ノズルとから構成され、前記電動送風機が送出した前記高圧空気は吹出風路を通って前記第一ノズル及び前記第二ノズルまで流れ、前記吹出風路の一部は、周りよりも狭い縮小風路となっており、前記縮小風路に前記加熱装置を配置したことを特徴としたものである。
【００１３】
この構成によれば、縮小風路に設けられた加熱装置によって、電動送風機から送出される高圧空気を加熱してから第一ノズルおよび第二ノズルに流すことで、第一ノズルと第二ノズルとの吹出気流の温度差が小さくなり、手に一様に加熱された気流が当たり、手の乾燥時間は短縮されるという効果を奏する。
【００１４】
また、前記加熱装置と前記第一ノズルとの最短距離と前記加熱装置と前記第二ノズルとの最短距離との差が０ｍｍ以上３０ｍｍ以下であることが好ましい。
【００１５】
この構成によれば、第一ノズルの吹出気流と第二ノズルの吹出気流の温度差が小さくなり、吹出気流の温度ムラをさらに小さくすることができるという作用を有するので、乾燥性能をさらに向上させ、乾燥時間を短くすることができるという効果を奏する。
【００１６】
また、前記縮小風路を形成する壁面を、耐熱性の樹脂または金属部品で形成することが好ましい。
【００１７】
この構成によれば、縮小風路を形成する壁面の厚みを薄くすることができるという作用を有するので、吹出気流の温度ムラを小さくしながら、製品を小型化し、低コスト化できるという効果を奏する。
【００１８】
また、前記加熱装置は、耐熱性の樹脂または金属部品で成形された保持部品によって保持され、前記保持部品によって前記加熱装置と前記縮小風路を形成する壁面との隙間を小さくすることが好ましい。
【００１９】
この構成によれば、ヒーターを通過する風量が増加し、吹出気流の温度ムラを小さくしながら、効率良く気流を加熱することができるという作用を有するので、乾燥性能をさらに向上させ、乾燥時間を短くすることができるという効果を奏する。
【００２０】
また、前記吹出風路に、風路内の温度を検知し前記加熱装置の出力を制御する温度過昇防止装置を配置し、前記温度過昇防止装置は、前記縮小風路を形成する壁面、または前記保持部品で保持されていることが好ましい。
【００２１】
この構成によれば、加熱装置付近の縮小風路内の温度を温度過昇防止装置で検知して過熱装置の出力を制御することができるという作用を有するので、吹出気流の温度が著しく高くなることを抑えながら加熱装置の出力を最小限とし、消費電力を抑えることができるという効果を奏する。
【００２２】
以下、本発明の実施の形態について図面を参照しながら説明する。
【００２３】
（実施の形態１）
図１は本発明の実施の形態の手乾燥装置の側面断面図、図２は同手乾燥装置の一般的な使用例図である。
【００２４】
図１および図２に示すように手乾燥装置は、手前側２０の外部２２に向かって開口した手挿入口１から手５を抜き差しする手乾燥空間２と、手乾燥空間２に向けて０．５ｋＰａ〜１５ｋＰａの高圧空気２３を送出するノズル３と、ノズル３へ高圧空気２３を送出する電動送風機４とを備えている。
【００２５】
この手乾燥装置は、洗面所の壁面１６などに取り付けられる。そして手乾燥装置の正面に使用者が立って、手乾燥空間２に手５を挿入する。手５は、手乾燥空間２の手前側２０から奥側２１に向けての挿入方向６に沿って挿入される。
【００２６】
手乾燥空間２の上面の中央部には、手５の挿入を検出するセンサ７が設けられている。手洗い後の濡れた手５が手乾燥空間２に挿入されると、センサ７により手５の挿入が検出され、その検出により電動送風機４が運転される。電動送風機４が運転されると、吸込口８より吸引した吸込空気９がフィルタ１０、吸込風路１１を介して手乾燥装置の内部に流入する。
【００２７】
そして吸込空気９は電動送風機４によって昇圧されて、吹出気流１２となりノズル３から送出される。ノズル３から送出された吹出気流１２は、手洗い後の濡れた手５の水分を吹き飛ばし、蒸発させる。手乾燥空間２から手５を抜き出し、手５の挿入に対してセンサ７が非検出になると電動送風機４が止まる。
【００２８】
ここで、手乾燥空間２の上面に設けられたノズル３は、第一ノズル３ａと、第二ノズル３ｂとから構成されている。第一ノズル３ａは、手挿入口１の近傍に挿入方向６に直交して水平方向に列状に配列されている。第二ノズル３ｂは、手挿入口１から第一ノズル３ａよりも奥側２１に、第一ノズル３ａと所定距離２４を離して設けられている。センサ７は第一ノズル３ａと、第二ノズル３ｂとの間に配置されている。
【００２９】
図２に示すように手乾燥装置では、手５が手乾燥空間２に挿入された直後の数秒は、両手の手のひらが広げられてノズル３の吹出孔１３に近接される。そして手５が回転されながら抜き差しされ、ノズル３の吹出気流１２により大きな水滴が吹き飛ばされる。その後に残っている小さな水滴は、手乾燥装置内において両手の手のひら同士がこすり合わされ揉み合わされて、水滴が手のひら全体に広げられながら、吹出気流１２により吹き飛ばされ蒸発される。
【００３０】
電動送風機４によって昇圧された吹出気流１２は、吹出風路１８を通り第一ノズル吹出気流１２ａと第二ノズル吹出気流１２ｂとして送出される。ここで、吹出風路１８の一部は、周りよりも風路面積が狭い縮小風路１９となっており、縮小風路１９に加熱装置１５が配置されている。
【００３１】
上記構成により、縮小風路１９に設けられた加熱装置１５によって、電動送風機から送出される大半の高圧空気２３が加熱される。加熱装置１５によって加熱された高圧空気２３は第一ノズル３ａおよび第二ノズル３ｂに流れる。その結果、第一ノズル吹出気流１２ａと第二ノズル吹出気流１２ｂとの温度差が小さくなり、手全体に一様に加熱された気流が当たり、手の乾燥時間は短縮される。
【００３２】
また、加熱装置１５と第一ノズル３ａとの第一最短距離３１ａと、加熱装置１５と第二ノズル３ｂとの第二最短距離３１ｂとの差は０ｍｍ以上３０ｍｍ以下であることが好ましい。
【００３３】
上記構成により、第一ノズル吹出気流１２ａと第二ノズル吹出気流１２ｂとの温度差をより小さくすることができ、吹出気流の温度ムラをさらに小さくすることができる。
【００３４】
また、縮小風路を形成する壁面３３は、耐熱性の樹脂（ガラス入りＰＢＴなど）、または金属部品で形成された構成であることが好ましい。
【００３５】
上記構成により、縮小風路を形成する壁面３３の厚みを薄くすることができる。
【００３６】
また、加熱装置１５は、耐熱性の樹脂（ガラス入りＰＢＴなど）、または金属部品で成形された保持部品３２によって保持されており、保持部品によって加熱装置１５と縮小風路を形成する壁面３３との隙間を小さくする構成であることが好ましい。
【００３７】
上記構成により、加熱装置１５を通過する風量が増加し、吹出気流の温度ムラを小さくしながら、効率良く気流を加熱することができる。
【００３８】
（実施の形態２）
図３は実施の形態１の手乾燥装置において、吹出風路１８に、縮小風路１９内の温度を検知し加熱装置１５の出力を制御する温度過昇防止装置４１（例えばサーモスタットやサーミスタなど）を配置した時の側面断面図である。縮小風路１９内の温度がある一定の温度を超えた場合、温度過昇防止装置４１が作動し、加熱装置１５への出力を低下、もしくは停止させて、縮小風路１９内の温度を調整することで吹出気流１２の温度が調整される。なお、温度過昇防止装置４１は、縮小風路を形成する壁面３３、または保持部品３２によって保持された構成である。
【００３９】
上記構成により熱装置付近の縮小風路１９内の温度を温度過昇防止装置４１で検知して加熱装置１５の出力を制御することができる。
【００４０】
なお、図３では加熱装置１５を通過した気流の温度を測定する目的で、加熱装置１５よりも風下側に温度過昇防止装置４１を配置したが、電動送風機４から発生する熱量と加熱装置１５から発生する熱量が多い場合など、加熱装置１５よりも風上側に温度過昇防止装置４１を配置してもよい。
【００４１】
具体的には、温度過昇防止装置４１を加熱装置１５よりも風下側に配置した場合、加熱装置１５を通過した後の吹出気流１２の温度を測定し、加熱装置１５の出力を制御できる。その結果、手５に当たる気流の温度を制御できるため、加熱装置１５の長時間連続通電によって吹出気流１２が著しく熱くなる事を抑制し、消費電力を抑えながら手乾燥装置の使用感を向上することができる。
【００４２】
また、一方、温度過昇防止装置４１を加熱装置１５よりも風上側に配置した場合、電動送風機４が停止しながらも、加熱装置１５のみ通電され続けた異常状態が万一発生したときであっても、加熱装置１５による熱は上方である風上側に移動するため、温度過昇防止装置４１によって加熱装置１５による熱を検知できる。そして、温度過昇防止装置４１によって検知された加熱装置１５による熱が異常に高い場合は、温度過昇防止装置４１によって加熱装置１５の出力を停止させる事ができる。その結果、加熱装置１５のみが長時間通電され続けるという異常状態を防止し、製品の安全性を高めることができる。
【００４３】
なお、手乾燥装置の製品としては異常状態が起こらないように設計されているため、温度過昇防止装置４１を設けなくても安全性に問題はない。
【産業上の利用可能性】
【００４４】
本発明の手乾燥装置は手の乾燥目的以外に、ノズル構造を用いた設備乾燥機器への転用により、短時間に物体を乾燥させる工業用の乾燥用途等にも適用できる。
【符号の説明】
【００４５】
１    手挿入口
２    手乾燥空間
３    ノズル
３ａ    第一ノズル
３ｂ    第二ノズル
４    電動送風機
５    手
６    挿入方向
７    センサ
８    吸込口
９    吸込空気
１０    フィルタ
１１    吸込風路
１２    吹出気流
１３    吹出孔
１５    加熱装置
１６    壁面
１８    吹出風路
１９    縮小風路
２０    手前側
２１    奥側
２２    外部
２３    高圧空気
２４    所定距離
３１ａ  第一最短距離
３１ｂ  第二最短距離
３２    保持部品
３３    縮小風路を形成する壁面
４１    温度過昇防止装置
【図１】
2016059560.tif 000003
【図２】
2016059560.tif 000004
【図３】
2016059560.tif 000005
【図４】
2016059560.tif 000006